(57)【要約】【課題】寝たきり状態にある高齢者や患者などに対して理美容師がヘアカットのサービスを施す際に、容易かつ効率的にヘアカットを行うために用いる理美容用枕を提供する。【解決手段】底面から立設される背面４とこの背面４から緩やかな斜面２を形成して底面に連続する上面２とを備える背載せ部１と、この背載せ部１の背面４幅よりも狭い背面を備える略直方体の首載せ部６とを有し、前記背載せ部１の背面４と前記首載せ部６の背面にそれぞれ設けられた装着部を介して前記背載せ部１と首載せ部６を着脱可能に構成されるものである。【選択図】図１
0003124693.tif 000002
【実用新案登録請求の範囲】
【請求項１】
底面から立設される背面とこの背面から緩やかな斜面を形成して底面に連続する上面とを備える背載せ部と、この背載せ部の背面幅よりも狭い背面を備える略直方体の首載せ部とを有し、前記背載せ部の背面と前記首載せ部の背面にそれぞれ設けられた装着部を介して前記背載せ部と首載せ部を着脱可能に構成されることを特徴とする理美容用枕。
【請求項２】
前記首載せ部の上面は凹部を形成することを特徴とする請求項１記載の理美容用枕。
【請求項３】
前記首載せ部は、前記背載せ部よりも硬度が高い材料で構成されることを特徴とする請求項１又は請求項２に記載の理美容用枕。
【請求項４】
前記首載せ部の背面に対向する正面に装着部を備えて、一の首載せ部に他の首載せ部を着脱可能に構成されることを特徴とする請求項１乃至請求項３のいずれか１項に記載の理美容用枕。
【請求項５】
前記装着部は、面状ファスナーであることを特徴とする請求項１乃至請求項４のいずれか１項に記載の理美容用枕。
【考案の詳細な説明】
【技術分野】
【０００１】
本考案は、理美容時に用いられる枕に係り、特に、寝たきり状態にある患者などに対して理美容師がヘアカットのサービスを施す際に、容易かつ効率的にヘアカットを行うために用いる理美容用枕に関する。
【背景技術】
【０００２】
少子高齢化が進む現代社会においては、今後益々高齢者、特に身体的あるいは精神的な障害を持つ高齢者のケアが切実な問題となりつつある。しかも、クオリティオブライフ（ＱＯＬ）という観点から、そのような高齢者の生活水準を一定のレベル以上に維持していくことも重要な課題となってきている。
このような現状にあって、高齢者の身なり、特に髪の毛に関しては衛生的な問題もあることから、ヘアカットやヘアケアのサービスは老人ホームや養老院、あるいは病院などにおいても定期的に実施されている。さらに、特に女性にとって、髪は女の命と昔から言われるとおりヘアスタイルに対する関心は高く、このヘアスタイル如何によっては、実年齢よりも若く見られたり、逆に老けて見られることもあり、単なるヘアカットではなく、いわゆるおしゃれなヘアカットを望む声も大きい。おしゃれに気を配ることから高齢者自身の生活も健康で張りのあるものへと変化するということもある。
しかしながら、外出もままならない高齢者が自由に理美容院などを利用してヘアカットを行うことは困難であり、一般の健常者のように十分なサービスを受けることが難しいという側面があった。また、寝たきりの状態にある高齢者も多く、このような場合は外出できないばかりか、理美容師がヘアカットし辛いという課題があった。
【０００３】
このような課題を解決するために、従来、例えば特許文献１に開示されるような「介護用理美容ヘアケアボール」というような発明が開示されている。
この介護用理美容ヘアケアボールについて図７を参照しながら説明する。図７は介護用理美容ヘアケアボールの平面図である。図７において、介護用理美容ヘアケアボールは、老人や病人がベッドや車椅子の上で寝た姿勢のままシャンプー及びヘアカット等のヘアケアを容易に受けられるもので、ボール本体３０のシンク状に形成されたボール部３２の上部は平坦状に形成され、前後に幅広に形成したヘッドレスト３３を使用することによって、被介護者は無理なく頭部の向きを変えることができ、容易にヘアカットをすることができる。このヘッドレスト３３は、ボール本体３０の受け部３１に取り付けるために、ヘッドレスト３３の補強板３４の下面に吸盤３５を備えて受け部３１に吸着するようにしている。
このように構成される従来の介護用理美容ヘアケアボールにおいては、ヘッドレストを備えて、被介護者が頭を乗せてヘアカットをはじめとしてヘアケアを容易に受けることが可能である。
【０００４】
また、同じく理美容の用途では、特許文献２に開示されるような「理美容用椅子のヘッドレスト装置」が開示されている。特許文献１に開示されるものが、被介護者が身を寄せている車椅子ではなく、それに添えるようにして使用される別個の器具、装置である一方、特許文献２に開示されるものは、利用者が身を寄せる理美容用椅子側のヘッドレストに関する発明である。
特許文献２に開示される発明では、ヘッドレストの上昇時に無段階停止が行なえ、しかもヘッドレストの下降時には背凭れの後方に収容されるものである。従って、施術者による作業において、ヘッドレストの位置調整の作業性が向上すると同時に、ヘッドレストが邪魔にならないという効果があった。
【０００５】
さらに、理美容の用途のみならず、最近では安眠などを目的に様々な枕が開発されており、例えば特許文献３に「調整枕」として開示されるような発明がある。
この特許文献３に開示される発明においては、複数の連続に変化する例えば楔型の断面形状を有する枕部品を左右または前後に組合せて、各々の重ね合わせの相対位置を変化させることにより形状の特性による厚みの変化が生じるようにして枕の高さを調整可能な枕が開示されている。
このようにいわば無段階に高さを調整することで、使用者の希望に沿った高さに調整することが可能で、各人の使用感を満足させることが可能となる。
【０００６】
【特許文献１】特開２００１−１９０３２３号公報
【特許文献２】特開２０００−２７０９５９号公報
【特許文献３】実登第３０９９９０２号公報
【考案の開示】
【考案が解決しようとする課題】
【０００７】
しかしながら、上述の従来技術である特許文献１に開示される発明においては、高齢者や患者などが車椅子や理美容用椅子に着座した状態でなければ、その介護用理美容ヘアケアボールを利用することができないという課題があった。すなわち、ベッドや布団の上にいわゆる寝たきりの状態にある要介護者や患者などは車椅子や理美容用椅子に自力で移動することがままならず、介護者が移動を補助してもその負担が大きいため、自由に利用するには限度があった。
また、このヘアケアボール自体が大きく設置することが必要で、簡単に持ち運びできるものではなく、容易に活用することが困難であるという課題もあった。
特許文献２に開示される発明では、特許文献１と同様な課題を抱えている。すなわち、頭部を受けるヘッドレストは、理美容用椅子に用いられるもので、介護が必要な高齢者等が利用するためには、その理美容用椅子に着座する必要があり、移動が困難な場合には利用ができないという課題があった。
特許文献３に開示される発明では、利用者の所望によって枕の高さを調整可能に構成されてはいるものの、理美容用には構成されておらず、ヘアカット用に用いるには高さが不足しているため不便で、ヘアケアを施すために頭部を床面より上方に維持することが困難であるという課題があった。
【０００８】
本考案はかかる従来の事情に対処してなされたものであり、寝たきり状態にある高齢者や患者などに対して理美容師がヘアカットのサービスを施す際に、容易かつ効率的にヘアカットを行うために用いる理美容用枕を提供することを目的とする。
【課題を解決するための手段】
【０００９】
上記目的を達成するため、請求項１記載の考案である理美容用枕は、底面から立設される背面とこの背面から緩やかな斜面を形成して底面に連続する上面とを備える背載せ部と、この背載せ部の背面幅よりも狭い背面を備える略直方体の首載せ部とを有し、前記背載せ部の背面と前記首載せ部の背面にそれぞれ設けられた装着部を介して前記背載せ部と首載せ部を着脱可能に構成されることを特徴とするものである。
このような構成の理美容用枕においては、背載せ部と首載せ部をそれぞれの装着部を介して接続し、背載せ部の背面を頭側にしながら緩やかな斜面を形成している上面を背中にあて、首載せ部に首を載せるという作用を有する。首載せ部の背面高さが背載せ部の背面幅よりも狭いため、広い肩幅から狭い首、後頭部に沿って保持するように作用する。さらに、首載せ部は背載せ部と着脱可能に構成されているため、後頭部のうち、背中に近い側のヘアカットを行なう際には、首載せ部を取り外すことで、理美容師の手を挿入し易いように作用する。
【００１０】
また、請求項２記載の考案は、請求項１に記載の理美容用枕であって、前記首載せ部の上面は凹部を形成するものである。
このような構成の理美容用枕においては、首載せ部の凹部が利用者の首にフィットするように作用する。
【００１１】
請求項３記載の考案は、請求項１又は請求項２に記載の理美容用枕であって、前記首載せ部は前記背載せ部よりも硬度が高い材料で構成されるものである。
このような構成の理美容用枕においては、頭の重量が集中する首を支える首載せ部が背載せ部よりも下に沈むことがなく、柔らかい背載せ部の方が沈むことで、背載せ部の頭側の角が首に当たる不快感や首が沈んでしまう不快感を生じさせないように作用する。
【００１２】
請求項４記載の考案は、請求項１乃至請求項３のいずれか１項に記載の理美容用枕において、前記首載せ部の背面に対向する正面に装着部を備えて、一の首載せ部に他の首載せ部を着脱可能に構成されるものである。
このように構成される理美容用枕においては、首載せ部の背面のみならず、正面にも装着部を設けて、この正面に設けられた装着部は他の首載せ部の背面あるいは正面に設けられた装着部と接続するという作用を有する。
【００１３】
請求項５記載の考案は、請求項１乃至請求項４のいずれか１項に記載の理美容用枕あって、前記装着部は、面状ファスナーであるものである。
このように構成される理美容用枕においては、先の請求項１乃至請求項４のいずれか１項に記載の理美容用枕と同様の作用を有するが、装着部に面状ファスナーを採用することで、点や線ではなく面で強固に接続されるという作用を有する。
【考案の効果】
【００１４】
以上説明したように、本考案の請求項１に記載の理美容用枕においては、背載せ部の緩やかな斜面に利用者の背を載せることで、肩を軽く上げ、そして首載せ部に首を載せることで、後頭部が設置面から浮くことになり、理美容師によるヘアカットやヘアケアを施しやすくなるという効果を有する。
また、首載せ部の幅の方が狭くして、理美容者の手を後頭部に回し易くして、ヘアカットやヘアケアを施し易いようになっている。さらに、うなじなどの髪の生え際に対してヘアカットを行なう際には、首載せ部を背載せ部から外して、髪の生え際をあらわにしてから、さらにヘアカットを行なうことができる。
【００１５】
本考案の請求項２に記載の理美容用枕においては、首載せ部の凹部が利用者の首にフィットして、利用者をリラックスさせつつ、体勢の維持を容易にするものである。
【００１６】
本考案の請求項３に記載の理美容用枕においては、頭の重量が集中する首を支える首載せ部が背載せ部よりも深く沈まないようになるので、背載せ部の頭側の角が首に当たることがなく、利用者の不快感を招くことなく首と背とをバランスよく支持することができる。
【００１７】
請求項４に記載の理美容用枕においては、複数の首載せ部を連結することが可能であるため、首よりも先の頭を支持することも可能であり、利用者の体型などによって自由に首載せ部の数を選択しながら、理美容師が容易にヘアカットなどのサービスを提供可能である。また、複数存在する首載せ部の大きさをそれぞれ変化させることで首から後頭部へと変化する頭の形によりフィットさせることも可能である。
【００１８】
最後に本考案の請求項５に記載の理美容用枕においては、請求項１乃至請求項４のいずれか１項に記載された考案の効果に加えて、面で背載せ部と首載せ部を接続するので、首載せ部に首が載って大きな荷重がかかっても、外れる心配がなく、安定して利用者を支持することができる。
【考案を実施するための最良の形態】
【００１９】
以下に、本考案の最良の実施の形態に係る理美容用枕について、図１乃至図６を参照しながら説明する。
図１は、本考案の最良の実施の形態に係る理美容用枕の外形図である。また、図２（ａ）及び（ｂ）は理美容用枕の背載せ部の斜視図であり、図３は理美容用枕の首載せ部の斜視図である。
図１及び図２（ａ）において、理美容用枕は、背載せ部１と首載せ部６を組合せることで構成される。背載せ部１は、上面２ａからなだらかに下降する斜面２を備えており、また、図示されない底面から垂設される側面３及び背面４を備えている。
また、図２（ｂ）に示されるように、背面４には装着部として面状ファスナー５が設けられている。なお、背載せ部１は、一体に構成されるものでもよいし、例えばカバーとその内部に設けられるウレタンなどの合成樹脂製の弾性体から構成されるようにしてもよい。その際には、図示されないが、内部へ弾性体を挿入するための開口とそれを閉じるファスナーやボタンあるいはホックなどの締結具を予め設けておくとよい。カバーは、皮製あるいは合成皮革製、合成樹脂製、合成ゴム製、綿や麻のような自然素材や合成繊維製などであってもよい。
【００２０】
一方、図１及び図３に示されるように、首載せ部６は、略直方体に形成され、背面９で背載せ部１の背面４と接続されている。これは、首載せ部６の背面９に設けられた装着部としての面状ファスナー１１が背載せ部１の背面４に設けられた面状ファスナー５と面で接続するためである。面状ファスナー５，１１同士で接続するため、より強固に接続、連結することが可能である。
また、図示されない底面から垂設される側面８と正面１２を備えている。側面８は、背載せ部１の背面４よりも高く形成されており、従って、首載せ部６の上面７は、背載せ部１の上面２ａよりも高く位置している。また、首載せ部６の背面の幅は、背載せ部１の背面４の幅よりも狭く形成されており、上面７に利用者の首を載せた場合に、理美容師の手を後頭部などに添え易くしている。
さらに、首載せ部６の側面８にはファスナー１０が設けられており、これを開けることによって中にウレタンなどの弾性体を詰めたり取り出したりすることができる。すなわち、この首載せ部６もカバーとこの内部に設けられる弾性体から形成されるものであるが、これは背載せ部１と同様に一体に設けられるものでもよい。首載せ部６を弾性体を詰めたカバーによって形成する場合には、そのカバーの材質は背載せ部１のカバーと同様の材質でよいし、ファスナー１０も締結具であれば、ボタンやフックで代用してもよい。
【００２１】
次に、図４を参照しながら、本実施の形態に係る理美容用枕の使用方法について説明する。図４（ａ）及び（ｂ）は、利用者が本実施の形態に係る理美容用枕を使用している状態を示す概念図である。
図４（ａ）において、横たわる利用者１３は、その背中を背載せ部１の上に載せ、さらに、首１５を首載せ部６に載せている。背載せ部１の斜面がちょうど利用者１３の背中に当接して徐々に利用者１３の頭部を持ち上げるように作用している。また、背載せ部１の高さよりも高い状態で首載せ部６が利用者１３の首１５を支えている。
このような状態で、利用者１３は横たわったままで理美容師による髪１４のカットやケアのサービスを受けることができる。特に寝たきりの高齢者や、障害や病気などで移動がままならない利用者１３にとって、寝た状態のままで理美容師のサービスを受けられることは肉体的な負担が少なく、理美容師にとっても容易にサービスを提供することができるという効果がある。ヘアカットをはじめとするヘアケアを容易に実施することで、頭部の良好な衛生状態のみならず、利用者のＱＯＬも高く維持することが可能である。
また、図４（ａ）のように首１５をそのまま首載せ部６に載せて、後頭部全体首載せ部６から外すようにすると、後頭部の重量によって利用者１３の首に力が入るなど長く状態を維持することができないため、例えば、図４（ｂ）に示すように首から後頭部の下部にかけて首載せ部６に載せるようにするとよい。このように載せることで頭の重量の大部分を首載せ部６で支えることができ、首１５の状態を楽に維持することが可能となる。
【００２２】
しかしながら、このようにすると図４（ｂ）からも明らかであるが、頭部の大部分の髪１４をカットするには問題がないものの、うなじの部分など首載せ部６によって隠れてしまう部分をカットするのは容易ではない。そこで、本実施の形態に係る理美容用枕のように、背載せ部１と首載せ部６を予め着脱可能に設けておき、先に説明した装着部である面状ファスナーを外すことで首載せ部６を分離し、そこに理美容師が手を当てつつ、うなじの部分を露出させてカットするなどすることで、頭部全体の髪１４のカットあるいはケアを実施することができる。
前述のとおり、首載せ部６の背面９の幅は背載せ部１の背面４の幅よりも狭くなっているため、首載せ部６上面７の面積は背載せ部１上面２ａの面積よりも狭くなっており、しかも重量のある頭部を支えるため首載せ部６の上面７にはより大きい圧力がかかるため、首載せ部６は背載せ部１に比較して硬い材料で形成されることが望ましい。このように首載せ部６が背載せ部１に比較して硬い材料で形成されることで、首載せ部６の上面７は背載せ部１の上面２ａよりも下方に沈むことを防止することができる。これによって、利用者１３の頭部を上方に維持することが容易であり、背載せ部１の上面２ａの角部が利用者１３の肩などに当たることもない。
なお、本願明細書及び特許請求の範囲において、首載せ部６や背載せ部１を構成する材料とは、これらが一体に形成される場合にはもちろんその材料を示すが、その内部に弾性体を詰める場合には、その弾性体をも含む概念であり、弾性体を詰める場合にその強度は、弾性体を主体に考慮される概念である。
【００２３】
次に、図５を参照しながら、本実施の形態に係る理美容用枕の首載せ部の別の実施例について説明する。
図５において、図３に示す首載せ部と同一部分については同一符号を付し、その構成の説明は省略する。本実施例の理美容用枕の首載せ部１６はその上面１７に凹部１８を形成するものである。
このように凹部１８を設けることによって、利用者の首によりフィットさせて支えることが可能となるため、利用者の首に係る荷重を和らげ、肉体的あるいは精神的な負担を軽減することが可能となる。この凹部１８の一番窪んでいる部分の高さは、背載せ部の上面の高さよりも高く設けられることが望ましい。そのようにすることで、利用者の頭が沈むことなく後頭部を浮かべた状態で保持することができる。
【００２４】
さらに、図６（ａ），（ｂ）を参照しながら、本実施の形態に係る理美容用枕の首載せ部の他の実施例について説明する。図６（ａ）において、本実施例に係る理美容用枕の首載せ部１９は、図１，３に示す首載せ部６に比較して高いものを示している。例えば、男性に比較して髪の長い女性のヘアカットを行なう場合には、首載せ部１９が低いと髪が理美容用枕の設置面に届くため、利用者の負担にならない程度になるべく高い首載せ部１９であることが望ましい。また、首載せ部１９の高さも限界があるが、髪が設置面に届く場合に、設置面で広げるようにする場合でも、髪をまとめつつきれいに広げるためには可能な限り高い首載せ部１９であることが望まれる。
また、図６（ｂ）においては、理美容用枕の首載せ部６に別個の首載せ部２０を連結した様子を示すものである。首載せ部２０の図示されない背面には面状ファスナーなどの装着部が設けられており、首載せ部６の正面側の面状ファスナーなどの装着部と接続している状態にある。
また、首載せ部６の図示されない背面は背載せ部１の図示されない背面と同様に面状ファスナーなどの装着部で互いに接続されるものである。
このように首載せ部を連結することで、首から後頭部まで載せることが可能となるため、利用者はより楽に頭を支えることが可能となる。しかも、後頭部の形状に合わせるように、首載せ部２０の高さを例えば首載せ部６の高さよりも低くするなど高低差を持たせて連結することによれば、より利用者の頭の形状にフィットするため、高い使用感を得ることが可能となる。
もちろん、首載せ部６の首方向への厚みを増してもよいが、図４を参照しながら説明したうなじなどの髪の生え際などの処理をする際には、徐々にカットやケアを行なうため、連結されている首載せ部の一部を少しずつ取り外す方が理美容師の作業のためには好都合となる。首載せ部６の厚さを増して背載せ部１に連結すると、取り外す際には、その首載せ部６が支えていた部分が大きくなり、その部分の荷重も大きくなるため理美容師が手を添える場合にも負担が大きくなり、首載せ部６の使い勝手がよくないことが予想されるのである。
従って、複数の首載せ部を様々な大きさとして、背面とこれに対向する正面の両面に面状ファスナー等の装着部を設けて連結することが望ましい。
【００２５】
以上説明したとおり、本実施の形態に係る理美容用枕においては、特に寝たきりの状態にある高齢者や障害や病気を持つ患者などの利用者が、寝たままの状態で容易に頭を上げて、理美容師によるヘアカットやヘアケアなどのサービスを受けることができるものである。
理美容師にとっても、楽にサービスを提供できるため、丁寧な施術となり、お互いの肉体的、精神的負担を軽減することが可能であり、しかも、利用者にとっては、そのことでＱＯＬの向上を図ることも可能となる。
さらに、背載せ部と首載せ部を分割可能に面状ファスナーなどの装着部で着脱可能に接続するので、首の近くの髪の生え際などの処理を行うときには、その首載せ部を外すことができるので、理美容師は作業を行ない易いという優れた効果を発揮するものである。
【産業上の利用可能性】
【００２６】
請求項１乃至請求項５に記載された理美容用枕は、寝たきりの高齢者や障害者、あるいは安静が必要な患者などに特に用いられるため、病院や老人ホームなど高齢者を対象とした施設に備えられるべきものである。
さらに、理美容師が巡回しながら、ヘアカットなどのサービスを提供するために、理美容用椅子を備えた理美容車に常備しておくことで、その理美容車まで移動できない利用者に対して、その理美容用枕を持ち出して、利用者宅で使用することが可能である。
いずれにしても、介護理美容の分野において、今後利用の必要性が高まるものである。
【図面の簡単な説明】
【００２７】
【図１】本考案の実施の形態に係る理美容用枕の斜視図である。
【図２】（ａ）及び（ｂ）は本実施の形態に係る理美容用枕の背載せ部の斜視図である。
【図３】本実施の形態に係る理美容用枕の首載せ部の斜視図である。
【図４】（ａ）及び（ｂ）は本実施の形態に係る理美容用枕の使用状態を示す概念図である。
【図５】本実施の形態に係る理美容用枕の首載せ部の別の実施例について示す外形図である。
【図６】（ａ）及び（ｂ）は本実施の形態に係る理美容用枕の首載せ部の他の実施例を示す概念図である。
【図７】理美容用枕に関連する技術の従来例を示す外形図である。
【符号の説明】
【００２８】
１…背載せ部  ２…斜面  ２ａ…上面  ３…側面  ４…背面  ５…面状ファスナー  ６…首載せ部  ７…上面  ８…側面  ９…背面  １０…ファスナー  １１…面状ファスナー  １２…正面  １３…利用者  １４…髪  １５…首  １６…首載せ部  １７…上面  １８…凹部  １９…首載せ部  ２０…首載せ部  ３０…ボール本体  ３１…受け部  ３２…ボール部  ３３…ヘッドレスト  ３４…補強板  ３５…吸盤
【図１】
0003124693.tif 000003
【図２】
0003124693.tif 000004
【図３】
0003124693.tif 000005
【図４】
0003124693.tif 000006
【図５】
0003124693.tif 000007
【図６】
0003124693.tif 000008
【図７】
0003124693.tif 000009